Podtech/llm-jp-corpus-v4-ja_patent huggingface dataset:
(57)【要約】【課題】三脚や一脚は写真撮影やビデオ撮影において、定点観測やタイマー撮影や手振れ防止などの用途で非常に便利なものであるが、設置するのに不安定な場所や狭小な場所では使いづらい。【解決手段】本考案によると足先にユニバーサルジョイントと磁石を装備することで、足先を鉄板などの磁性体であれば水平面や傾斜面や天井面でも重心や加重方向をあまり気にせず三脚や一脚を固定することができ、用途範囲を広げることが可能となる。【選択図】図２
0003104730.tif 000002
【実用新案登録請求の範囲】
【請求項１】
カメラやスピーカー等を取り付けて使用する三脚又は一脚において、その足先に鉄板などの磁性体の柱や床や壁面等に吸着固定するための磁石を装備することを特徴とする三脚又は一脚。
【請求項２】
また、磁石がより効率よく吸着力を発揮するように、足本体と足先の磁石の間にユニバーサルジョイントを装備することを特徴とする請求項１に記載の三脚又は一脚。
【請求項３】
万一の落下防止のためのフック機能を持った紐やワイヤー等のストラップを装備することを特徴とする請求項１に記載、又は請求項２に記載の三脚又は一脚。
【考案の詳細な説明】
【技術分野】
【０００１】この考案は三脚又は一脚の足先の固定方法に関する。
【技術背景】
【０００２】三脚又は一脚は写真撮影やビデオ撮影において、定点観測やタイマー撮影や手振れ防止などの用途で非常に便利なものであるが、設置するのに不安定な場所や狭小な場所では使いづらい。
【考案の開示】
【考案が解決しようとする課題】
【０００３】通常の三脚又は一脚はカメラ等を任意の場所に設置して使用するため、或いは撮影の手振れを無くすために利用されるが、三脚又は一脚に携帯性が求められると本体を軽くする必要があり、軽くなると安定性が悪くなる。【０００４】また、三脚は脚をある程度以上開くスペースが取れない狭小場所への設置が難しく、三脚の上に取り付けたカメラ等と合わせた全体の重心位置が開いた足の先端を結ぶ三角形の範囲からはみ出すと転倒してしまう。【０００５】そして、一脚は足先方向への加重を気に留めながら使用しないと足先がズレ動いて使いづらいことが多い。
【課題を解決するための手段】
【０００６】本考案はその問題点を解決するためにユニバーサルジョイントと磁石を装備した三脚又は一脚を提供し、三脚又は一脚を設置する場合に、置くという従来の方法に加えて、固定するという機能を付加することにより用途範囲を拡大することができる。
【考案の効果】
【０００７】三脚又は一脚の足先にユニバーサルジョイントと磁石を装備することで足先を鉄板などの磁性体であれば水平面や傾斜面や天井面でも重心や加重方向を気にせず三脚又は一脚を固定することができ、用途範囲が広がる。
【考案を実施するための最良の形態】
【実施例】
【０００８】例えば、図３のように観光地の展望台等のコンクリートの柵の上に鉄製の手すりなどがあれば三脚の１本か２本を手すりに磁石で固定し残りの足の長さを調節してコンクリートの柵のヘリに乗せれば、三脚の足先を結ぶ三角形の範囲から重心がはみ出しても、手摺りに吸着した磁石の吸着力が転倒のモーメント力を上回れば、三脚でのタイマー撮影等が可能になる。【０００９】また、三脚又は一脚の本体を小さく軽くしても磁石の吸着により磁力に応じた固定力を確保することができ、重心や加重方向の制約から逃れられることが飛躍的に用途範囲を広くする。
【産業上の利用可能性】
【００１０】三脚を固定することによる利用可能性としては図４のような、最近特に普及している家庭用の小型サラウンドスピーカーの壁面固定も考えられる。【００１１】また、電気や電子機器の現場修理の際、三脚に取り付け可能なタップ穴を持つ小型バイス等を使えば、現場によくある鉄製のラックの扉や鉄製の構造物等に三脚を固定し、小型コネクタのハンダ付けなど、固定しなければできない作業も楽にできるようになる。【００１２】さらに、三脚の足先を交換可能な形態にし、従来の形態の足先にも交換できるようにすれば同じ三脚で通常用途にも対応できる。
【図面の簡単な説明】
【００１３】
【図１】三脚または一脚における従来の足先例図
【図２】三脚または一脚における本考案のユニバーサルジョイントと磁石の足先実施図
【図３】本考案の狭小場所での実施利用例図
【図４】本考案の壁面での実施利用例図
【符号の説明】
【００１４】  Ａ  三脚又は一脚の脚
Ｂ  ユニバーサルジョイント
Ｃ  磁石
Ｄ  落下防止用フック付きストラップ
【図１】
0003104730.tif 000003
【図２】
0003104730.tif 000004
【図３】
0003104730.tif 000005
【図４】
0003104730.tif 000006
(57)【要約】【課題】本考案は、まな板の上面と側面の両面が洗いやすいたわしである。【解決手段】本考案は、たわし棒を直角の部分を設けて成形するため、まな板の側面が洗いやすい。【選択図】  図１
0003104234.tif 000002
【実用新案登録請求の範囲】
【請求項１】
パーム、しゅろなどの繊維を２本の針金で撚合して成るたわし棒で、直角の部分を作る様にして折り曲げて成形したたわし。
【考案の詳細な説明】
【技術の分野】
【０００１】  本考案は、たわし棒を、直角の部分の作りながら成形した直角たわしである。
【背景技術】
【０００２】  まな板の側面をこすりやすいたわしがほしい。
【考案の開示】
【考案が解決しようとする課題】
【０００３】  まな板の側面に沿う角度をもったたわしがあれば良い。
【課題を解決するための手段】
【０００４】  たわし棒でたわしを成形する時に、直角の部分を作る。
【考案の効果】
【０００５】  上述の様に、本考案の直角たわしは、直角に曲がった部分を作ることにより、まな板の側面に沿って、こすり洗いすることができる。
【考案の実施するための最良の形態】
【０００６】  たわしの直角面をまな板の上面と側面の角に当て、こすり洗いをする。
【実施例】
【０００７】  たわし棒を、直角部分を作って形成する。
【図面の簡単な説明】
【０００８】
【図１】本考案の実施例
【図１】
0003104234.tif 000003
(57)【要約】【課題】  床下換気装置において、夕立等が発生した場合に、換気扇を停止させることができる換気装置を得る。【解決手段】  商用電源により駆動される換気扇９を開閉するスイッチ装置１０を備えた床下換気扇装置において、スイッチ装置１０は、太陽光の直射を受けて発電する太陽電池セル４と、光を受けて内部抵抗が変化する光導電セル５とを並列に接続した受光センサー部３と、この受光センサー部３に流れる電流により作動する動作コイル７ａを有する電磁石７と、この電磁石７によりオン・オフされるスイッチ８とを備える。【選択図】        図１
0003104232.tif 000002
【実用新案登録請求の範囲】
【請求項１】
商用電源により駆動される換気扇を開閉するスイッチ装置を備えた床下換気装置において、上記スイッチ装置は、太陽光の直射を受けて発電する太陽電池セルと、光を受けて内部抵抗が変化する光導電セルとを並列に接続した受光センサー部と、この受光センサー部に流れる電流により作動される動作コイルを有する電磁石と、この電磁石によりオン・オフされるスイッチとを備えたことを特徴とする床下換気装置。
【請求項２】
太陽光の直射を受けて発電する太陽電池セルと、光を受けて内部抵抗が変化する光導電セルとを並列に接続した受光センサー部と、この受光センサー部に流れる電流により作動される動作コイルを有する電磁石と、この電磁石によりオン・オフされるスイッチと、上記動作コイルおよび上記受光センサー部へ電力を供給する電圧変換器とを備えたことを特徴とするスイッチ装置。
【考案の詳細な説明】
【技術分野】
【０００１】  この考案は住宅の天井や床下を強制換気する床下換気装置およびそのスイッチ装置に関するものである。
【背景技術】
【０００２】  従来の換気装置としては、太陽電池を利用するものがあり、太陽電池の電圧とバックアップ電源の電圧とを比較し、太陽電池の電圧がバックアップ電源の電圧より低下したときバックアップ電源から換気扇への電力供給をオン・オフするスイッチを設けたものがある。
（例えば、特許文献１参照）
【特許文献１】  特開２００１−１４１２７０号公報
【考案の開示】
【考案が解決しようとする課題】
【０００３】  上述の太陽電池を用いた床下換気装置によると、換気扇の電源として太陽電池および商用電源を用いているので、例えば夕立などが発生し太陽光が弱まった時でも商用電源により換気扇が駆動されるので、湿った空気が他の換気口から床下へ導入され、床下に湿気が充満すると言う問題点があった。【０００４】  この考案は、上述のような問題点を解決するためになされたもので、夕立等が発生しても、換気扇を停止させることができる床下換気装置を得ることを目的とする。
【課題を解決するための手段】
【０００５】  この考案に係る床下換気装置においては、商用電源により駆動される換気扇を開閉するスイッチ装置を備えた床下換気装置において、スイッチ装置は、太陽光を受光して発電する太陽電池セルと、この受光センサー部に流れる電流により作動される動作コイルと、この動作コイルにより開閉されるスイッチとを備えたものである。【０００６】  また、太陽光を受光して発電する太陽電池セルと、光を受けて内部抵抗が変化する光導電セルとを並列に接続した受光センサー部と、この受光センサー部に流れる電流により作動される動作コイルと、この動作コイルにより開閉されるスイッチと、上記動作コイルおよび上記受光センサー部へ電力を供給する電圧変換器とを備えたものである。
【考案の効果】
【０００７】  この考案の床下換気装置は、スイッチ装置として太陽電池セルと光導電セルとを並列に接続し、リレーを動作させ、換気扇をオン・オフさせるようにしたので、夕立等が発生した場合に換気扇を停止させることが出来、湿った空気が床下へ導入されないので、床下に湿気が充満しなくなる。
【考案を実施するための最良の形態】
【０００８】実施の形態１．
図１は、この考案の実施形態１の床下換気装置の電気回路図である。図において、１は商用電源、２は商用電源１を直流電源に変換する電圧変換器、３は受光センサー部であり、太陽光の直射を受けて発電する太陽電池セル４と、光を受けて内部抵抗が変化する光導電セル５を並列に接続し構成されている、６はリレーであり、動作コイル７ａを有する電磁石７とスイッチ８により構成されている。動作コイル７ａと受光センサー部３は直列に接続され電圧変換器２により電力が供給される。９は換気扇であり、商用電源１により駆動され、スイッチ８によりオン・オフされる。１０はスッチ装置であり、受光センサー部とリレー６により構成されている。【０００９】  次に、上述のように構成された床下換気装置の動作を説明する。
図１の接続状態で、夜間、雨天、曇りの状態では、太陽電池セル４は発電しない、光導電セル５の内部抵抗が高いため動作コイル７ａへは殆ど電流が流れないので、電磁石７は吸引されず、スイッチ８はオフ状態であり、換気扇９は停止している。
次に、太陽電池セル４および光導電セル５に太陽光が照射されると、同時に太陽電池セル４の表面に幅射熱が生じ発電し通電を開始し、光導電セル５が引き金となって一挙に動作コイル７ａに電流が流れ、電磁石７は吸引動作し、スイッチ８はオン状態になり、換気扇９が作動し床下の換気が促進される。【００１０】  次に、上記スイッチ８のオン状態から、夕立等緊急時、及び夕暮れ、雨天、厚い雲状態に向かう時の動作を説明する。
まず、スイッチ８のオン状態から夕立等緊急時では、太陽光の直射がなくなると共に太陽電池セル４の表面に輻射熱がなくなり、発電が止まり通電もしない。一方、光導電セル５においても周囲の光・照度も下がり光導電セル５の内部抵抗も高くなり通電を妨げるようになる。この時動作コイル７へ流れる電流は極度に減少し、電磁石７の吸引は開放され、スイッチ８はオフ状態となり、換気扇９は停止する。また、夕暮れ、雨天、夜間等も上記と同様、換気扇９は停止する。【００１１】  上記のように構成された床下換気装置は、太陽光の直射を受けて、スイッチ装置１０のスイッチ８により換気扇９が開閉されるので、太陽光を照射している時間帯が最も大気が乾燥している時間帯であり、この時間帯の中で換気扇９を駆動させ、その時間帯以外は停止しする、全自動の床下換気装置である。
【図面の簡単な説明】
【００１２】
【図１】  この考案の実施の形態１を示す床下換気装置の電気回路図である。
【符号の説明】
【００１３】１  商用電源、２  電圧変換器、３  受光センサー部、４  太陽電池セル、５  光導電セル、６  リレー、７  電磁石、７ａ  動作コイル、８  スイッチ、９  換気扇、１０  スイッチ装置
【図１】
0003104232.tif 000003
(57)【要約】【課題】  本考案はフィルムスクリーンと吸着フィルムを貼り合わせることにより作業を容易にしコストを下げる。【解決手段】  本考案はフィルムスクリーン本体１に接着剤２を塗り、吸着フィルム３を貼り合わせラミネーターを使用することで気泡や埃の混入も防止でき作業の効率化コストダウンに役立つ。【選択図】  図１
0003104231.tif 000002
【実用新案登録請求の範囲】
【請求項１】
フィルムスクリーンに吸着フィルムを貼り合わせることにより、吸着フィルムの粘性を利用して窓等に何度でも剥がして再利用ができることを特徴とするフィルムスクリーン。
【考案の詳細な説明】
【技術分野】
【０００１】  本考案は、フィルムスクリーンに吸着フィルムを貼り合わせた吸着タイプのスクリーンに関するものである。
【背景技術】
【０００２】  フィルムスクリーンに接着剤を塗布し、ウィンドゥなどに直接貼っていたため、移動しようとした場合、新しいフィルムスクリーンを購入して設置していた。
【考案の開示】
【考案が解決しようとする課題】
【０００３】  移動等によるフィルムスクリーンの新規購入の経済負担は大きく、また、新規設置に対する工賃も発生するため、負担はさらに増えることになる。従ってフィルムスクリーンに吸着フィルムを張り合わせることにより容易に脱着可能になり、再設置も業者に委ねる必要がなくなることで、前述の欠点を解決しようとするものである。
【課題を解決する為の手段】
【０００４】  本考案はフィルムスクリーンと吸着フィルムを貼り合わせ、スクリーン本体に吸着性を持たせることにより、再利用が可能で、移動作業も簡単に行うことができることで問題点を解決している。
【考案の効果】
【０００５】  フィルムスクリーンを直接貼るための作業時間の短縮、フィルムスクリーンの設置場所を容易に移動可能、附帯する作業工賃の節約に役立つ。
【考案を実施する為の最良の形態】
【０００６】  フィルムスクリーンに接着剤を塗布、吸着フィルムと貼り合わせることでフィルムスクリーンが吸着性を持つようになり、その吸着性を利用して容易に剥がすことができ、熟練した技術を必要としない作業性の向上を図ることになる。
【実施例】
【０００７】  以下、添付図面に従って一実施例を説明する。１はフィルムスクリーンと吸着フィルムの貼り合わせ構造、２はラミネーターを用いてフィルムスクリーンと吸着フィルムと貼り合わせる作業、この作業でフィルムスクリーンと吸着フィルムの接着面に気泡が生じることを防ぐ。
【図面の簡単な説明】
【０００８】
【図１】本考案の貼り合わせの構造図である。
【図２】作業工程図である。
【符号の説明】
【０００９】１  フィルムスクリーン
２  特殊接着剤
３  吸着フィルム
４  ラミネーター
５  完成品  吸着式フィルムスクリーン
【図１】
0003104231.tif 000003
【図２】
0003104231.tif 000004
(57)【要約】      （修正有）【課題】鍋蓋を２分割して、重ねられる様にしたもので、蓋全体を外さなくても開けられる様にした重ね蓋を提供する。【解決手段】鍋蓋をＡとＢに分割し、Ａにつまみ部分を残し、Ｂはつまみ部分をくり抜いたので、ＢをＡ上に回転させながら重ねることができる。又、Ａに重ね代をつけたので、ＡＢの合わせ面にすき間が生じることがない。【選択図】図１
0003104235.tif 000002
【実用新案登録請求の範囲】
【請求項１】
鍋蓋の中心につまみを付け、つまみ部分を残した片方と、つまみ部分をくり抜いた片方とに２分割し、両方の合わせ面の、つまみ部分を残した方に重ね代をつけ、くり抜いた方に取手をつけた重ね蓋。
【考案の詳細な説明】
【技術の分野】
【０００１】  本考案は、鍋蓋を２分割し、片方をもう一方に重ねられる様にした鍋蓋である。
【背景技術】
【０００２】  鍋蓋を開けた時、蓋の置き場所に困ることがある。
【考案の開示】
【考案が解決しようとする課題】
【０００３】  調理中に鍋蓋を開けたい時、蓋全体を外さなくても開けることができる様に考えた。
【課題を解決するための手段】
【０００４】  本考案は、鍋蓋を２分割し、その片面をもう一方に重ねられる様にし、下になる方につまみ部分を残し、上に重ねる方には、つまみ部分をくり抜いたため、くり抜いた部分が、つまみをとり囲む様に重ねることができ、最大で半開の状態まで回転させることができる。
【考案の効果】
【０００５】  上述の様に、本考案の重ね蓋は、つまみ部分を凸凹にして２分割したので、スライドして重ねられ、蓋を外した時に置き場所に困らない。さらに２分割したので洗浄もしやすい。
【考案の実施するための最良の形態】
【０００６】  鍋蓋の片方のつまみを中心に、もう一方のつまみに合せてくり抜いた部分を合わせて、上に重ね、回転させながら、最大で半開になるまで開けることができる。又、重ね代を設けたことで一つの蓋として使用できる。
【実施例】
【０００７】  以下、添付図面に徒って実施例を説明する。
鍋蓋の中心につまみをつけ、つまみ部分を残したＡと、つまみ部分をくり抜いたＢとに２分割する。ＡＢの合わせ面のＡ側に、Ｂを乗せる重ね代Ｃをつける。またＢには取手をつける。
【図面の簡単な説明】
【０００８】
【図１】本考案の重ね蓋の実施例。
【図２】本重ね蓋の分割図。
【符号の説明】
【０００９】Ａ      重ねた時に下側になる蓋
Ｂ      重ねた時に上側になる蓋
Ｃ      重ね代
Ｄ      つまみ
Ｅ      取手
【図１】
0003104235.tif 000003
【図２】
0003104235.tif 000004
(57)【要約】【課題】屋外（灰皿がない場合）でのタバコ吸い殻のポイ捨て防止手段として、携帯用吸い殻袋もあるが、それを常に携帯するという煩わしさがあり、その目的が十分には果たされていない。【解決の手段】従来のボックス型タバコパッケージ構造を活かし、タバコ火の消火装置（５）と吸い殻収納装置（２）をボックス自体に内蔵させ、灰皿機能をも果たせるパッケージに改造する。【選択図】  図２
0003104233.tif 000002
【実用新案登録請求の範囲】
【請求項１】
従来のボックス型タバコパッケージの内部に、タバコ火をもみ消すサンドペーパー（５）とタバコの配列位置を固定するセパレーター（２）を設置することにより、箱内に吸い殻収納を可能にした灰皿機能をもつタバコパッケージ。
【考案の詳細な説明】
【考案が解決しようとする課題】
【０００１】屋外でのタバコ吸い殻のポイ捨てを防止する手段として携帯用の吸い殻袋も既にあるが、常にその袋を携帯するという煩わしさがあり、ポイ捨ての環境問題は十分に解決されていない。タバコメーカーの社会的責任を果たす商品開発が望まれる。
【解決の手段】
【０００２】従来のボックス型タバコパッケージ構造に次の手段（イ・ロ）を付加する。
▲イ▼ボックスのフタ箱の内部底面にサンドペーパーを貼り付け、サンド面上で吸い殻の火を手でもみ消す。この時、吸い殻を左右に擦らず、立てたまま、きりもみすれば吸い殻が折れず、かつ灰の発生量を最少に出来る。同時に１本分ごとの灰をその場で息で吹き飛ばし、箱内に残らないようにする。灰が飛散するとき、タバコ吸口上部のアルミ包装紙（従来既装置）が汚れ防止カバーとして機能する。
▲ロ▼箱内のタバコの配列位置を固定する目的の波型のセパレーター（隔板：薄くて固い紙素材）で各々のタバコの小部屋をつくる。そこから抜き出されたタバコの空室に▲イ▼で消火された吸い殻が収納される。
【考案の効果】
【０００３】灰皿無しでタバコ火の消火と吸い殻の処理がタバコパッケージの内部で可能となり本数を吸い尽くした箱内には、吸い殻のみが収納され、まとめて箱ごとゴミ箱に捨てる事が出来る。
【図面の簡単な説明】
【０００４】図−１  セパレーター（隔板）の位置を示す平面図である。
図−２  考案の実施を示す斜視図である。
【符号の説明】
【０００５】１――紙巻タバコ
２――タバコの配列位置を固定するセパレーター
３――アルミ包装紙（従来既装置）
４――タバコの外箱
５――消火面となる粗目のサンドペーパー
６――収納された吸い殻
７――セパレーターの高さを示す線
８――タバコ火の消火法と吸い殻収納の手順を示す説明文
【図１】
0003104233.tif 000003
【図２】
0003104233.tif 000004
(57)【要約】【目的】  宝石ないし貴石を複数組み合わせ、装身具の用途に使用するための装身用宝石の取付構造に関する。【構成】  第１の宝石を収納する枠体が、複数の筒状収納部を円周状に連結して形成されており、上記筒状収納部に第２の宝石を収納するとともに、筒状収納部の外壁の上記円周状の内向き方向の面に、宝石の脱落を防止する抜け止め手段を形成して第１の宝石を複数の筒状収納部間に収納したことを特徴とする。【効果】  従来の取付構造に比較して複数の宝石を組み合わせた場合にも、意匠的に非常に優れた装身具を得ることができる。  またツメ等が衣服に引っ掛かって破いたり、宝石が脱落したりという欠点が解消した。  さらに宝石の取付けに熟練を必要としないので、誰にでも容易に宝石の取付作業が行なえるようになった。【選択図】    図５
0003104248.tif 000002
【実用新案登録請求の範囲】
【請求項１】
第１の宝石を収納する枠体が、複数の筒状収納部を円周状に連結して形成されており、上記筒状収納部に第２の宝石を収納するとともに、筒状収納部の外壁の上記円周状の内向き方向の面に、宝石の脱落を防止する抜け止め手段を形成して第１の宝石を複数の筒状収納部間に収納したことを特徴とする装身用宝石の取付構造。
【考案の詳細な説明】
【考案の詳細な説明】
【産業上の利用分野】
【０００１】    この考案はダイヤモンドやルビー、サファイヤ等の宝石ないし貴石を複数組み合わせ、装身具の用途に使用するための装身用宝石の取付構造に関するものである。
【背景技術】
【０００２】    従来、この種の装身用宝石の取付構造としては、例えば▲１▼一方の端面を抜け止め構造とした枠体に宝石を収納し、宝石の周囲に枠体の他方の端面を倒す伏せ込み、▲２▼伏せ込みに換えてツメを用いたツメ止め、▲３▼枠体に形成した凹所に宝石を収納して接着剤で固定するもの、▲４▼ツメに換えて枠体の上面をタガネで彫り止めしたもの、▲５▼宝石に取付孔を形成し、枠体の一部を取付孔にカシメ付けたもの等であった。
【考案が解決しようとする問題点】
【０００３】    したがって、ただ単に宝石の美しさのみの価値しか有していなかったり、裏側のカシメやツメ、雌ネジが美観を損ねたり、またはツメ等が衣服に引っ掛かって破いたり、宝石が脱落したりという欠点があった。
【問題点を解決するための手段】
【０００４】    この考案の装身用宝石の取付構造は従来例の上記欠点を解消しようとするもので、第１の宝石を収納する枠体が、複数の筒状収納部を円周状に連結して形成されており、上記筒状収納部に第２の宝石を収納するとともに、筒状収納部の外壁の上記円周状の内向き方向の面に、宝石の脱落を防止する抜け止め手段を形成して第１の宝石を複数の筒状収納部間に収納したことを特徴とするものである。
【実施例】
【０００５】    以下この考案の装身用宝石の取付構造の実施例を図面に基いて説明する。【０００６】    図１ないし図５において、１は第１の宝石３を収納する枠体で、金やプラチナ等の貴金属からなっている。この枠体１は複数の筒状収納部５を円周状に連結して形成されており、複数の筒状収納部５間には中心となる大きめの宝石３を収納し、宝石３の周囲に適宜間隔で配置した複数の筒状収納部５内には、小さめの宝石３’を収納するものである。上記宝石３，３’としてはダイヤモンドやルビー、サファイヤ等の宝石、あるいはその他の貴石が好適に使用される。【０００７】    枠体１を構成する筒状収納部５の外壁の、上記円周状の内向き方向の面には、くの字断面の凹所７からなる抜け止め手段が形成され、筒状収納部５間のからの宝石３の脱落を防止するようになっている。すなわち、宝石３を筒状収納部５間に挿入すると、上記くの字断面の凹所７に係合する。筒状収納部５間は当初第１の宝石３よりやや大きい径となっており、第１の宝石３はくの字断面の凹所７に無理なくはめ込むことができる。【０００８】    上記くの字断面の凹所７からなる抜け止め手段にはめ込まれた第１の宝石３は、複数の筒状収納部５の上部を内向きにかしめることにより、くの字断面の凹所７内に確実に固定される。勿論、抜け止め手段の形状や構造等は、以上の実施例に限定されるものではない。【０００９】    次にこの考案の装身用宝石の取付構造の組み付け工程について説明する。【００１０】    図３において、複数の筒状収納部５を連結して構成した枠体１の上部から第１の宝石３を収納し、宝石３をくの字断面の凹所７からなる抜け止め手段に係合する。そして、図４のように複数の筒状収納部５を内向きに加圧し、この複数の筒状収納部５の間で宝石３を挟着する。【００１１】    一方、複数の筒状収納部５にもそれぞれ上部開口から第２の宝石３’がはめ込まれ、図５のようにその上部周囲を伏せ込むことにより、宝石’が抜け止めされる。【００１２】    図６はこの考案の装身用宝石の取付構造の他の実施例を示すもので、第１の宝石３を複数個直線的に並べたものである。この場合にはくの字断面の凹所７からなる抜け止め手段が、中間位置の筒状収納部５にいおては、枠体１の内向き方向の面のそれぞれ対称位置に一対形成される。両端の筒状収納部５においては上記実施例の場合と同じでよい。このようにすれば、第１の宝石３の個数にかかわらず、無理なく第２の宝石３’と組み合わせることができる。【００１３】    この考案の装身用宝石の取付構造は、指輪やペンダント、ブローチ、イヤリング、その他広範な装身具に適用することができる。
【考案の効果】
【００１４】    この考案の装身用宝石の取付構造は以上のように構成したので、従来の取付構造に比較して複数の宝石を組み合わせた場合にも、意匠的に非常に優れた装身具を得ることができる。
【００１５】    またツメ等が衣服に引っ掛かって破いたり、宝石が脱落したりという欠点が解消した。
【００１６】    さらに宝石の取付けに熟練を必要としないので、誰にでも容易に宝石の取付作業が行なえるようになった。
【図面の簡単な説明】
【図１】    この考案に係る装身用宝石の取付構造の一実施例を示す平面図である。
【図２】    枠体の平面図である。
【図３】    第１の宝石を取り付ける前の状態の断面図である。
【図４】    第１の宝石を取り付けた状態の断面図である。
【図５】    第２の宝石を取り付けた状態の断面図である。
【図６】    他の実施例を示す平面図である。  １…枠体  ３，３’…宝石  ５…筒状収納部  ７…くの字断面の凹所
【図１】
0003104248.tif 000003
【図２】
0003104248.tif 000004
【図３】
0003104248.tif 000005
【図４】
0003104248.tif 000006
【図５】
0003104248.tif 000007
【図６】
0003104248.tif 000008
(57)【要約】【課題】人々はホテルや料亭等で食卓を囲んで会食することが多い。そのような場合，限られたスペースの食卓上に，沢山の食物を安全に見栄え良く配置する必要がある。【解決手段】食卓上に立設された主柱の頂上又はその周囲放射状に，複数段設けられた取付具又は受台によって，立体的に食器を配設可能とした。限られたスペースの食卓上に，沢山の料理や菓子，果物等のお皿を立体的に配設出来るので，料理を運ぶ給仕人の省力化にも役立つ。然も，主柱の周りに複数段，放射状に配置された料理等の姿は，珍しく，美しく見えるので，料亭等のお客にも珍重される。【選択図】図１
0003104250.tif 000002
【実用新案登録請求の範囲】
【請求項１】
主柱の頂上又はその周囲放射状に，複数段設けられた取付具を介して，立体的に，食器を配設可能としたことを特徴とする立体食器受けセット
【請求項２】
主柱の頂上又はその周囲放射状に，複数段設けられた受台に載置して，立体的に，食器を配設可能としたことを特徴とする立体食器受けセット
【考案の詳細な説明】
【技術分野】
【０００１】  本考案は，限られた面積の食卓上に，料理や菓子，果物等の食物を盛ったお皿やお椀等の食器を，美しく立体的に配設可能な立体食器受セットに関する。
【背景技術】
【０００２】  人々はホテルや料亭等で食卓を囲んで会食することが多い。そのような場合，限られたスペースの食卓上に，沢山の食物を安全に見栄え良く配置する必要がある。
【考案の開示】
【考案が解決しようとする課題】
【０００３】  食卓上の面積は限られており，そこに沢山の食物を安全に見栄え良く配置することは困難であった。
【課題を解決するための手段】
【０００４】  請求項１に係る考案は，主柱の頂上又はその周囲放射状に，複数段設けられた取付具を介して，立体的に，食器を配設可能としたものである。【０００５】  請求項２に係る考案は，主柱の頂上又はその周囲放射状に，複数段設けられた受台に載置して，立体的に，食器を配設可能としたものである。
【考案の効果】
【０００６】  請求項１に係る考案は，主柱の頂上又はその周囲放射状に，複数段設けられた取付具を介して，立体的に食器を配設可能としたので，限られた面積の食卓上に，沢山の食物を安全に見栄え良く配置することが出来る。【０００７】  請求項２に係る考案は，主柱の頂上又はその周囲放射状に，複数段設けられた受台に載置して，立体的に食器を配設可能としたので，限られた面積の食卓上に，沢山の食物を安全に見栄え良く配置することが出来る。
【考案を実施するための最良の形態】
【実施例１】
【０００８】  図１は本考案の実施例１に係る立体食器受けセットの平面図，図２はそのＩＩ−ＩＩ矢視図である。これらの図において，１は台盤２の上に立設された主柱で，主柱１の周囲には取付具３が，複数段，放射状に固設されており，この取付具３との係合部を備えたお皿４を主柱１の周りに立体的に取り付けることが出来る。【０００９】  このようにして，食卓上に載置された立体食器受けセットの主柱１の周りに，料理や菓子，果物等を盛ったお皿４を立体的に配設することが出来るので，限られた面積の食卓上に，沢山の食物を安全に配置することが可能で，料理を運ぶ給仕人の省力化にも役立つ。然も，主柱１の周りに複数段，放射状に配置された料理，菓子，果物等の姿は，珍しく，美しく見えるので，料亭等のお客にも大変珍重される。
【実施例２】
【００１０】  図３は本考案の実施例２に係る立体食器受けセットの平面図，図４はそのＩＶ−ＩＶ矢視図である。これらの図において，１は台盤２の上に立設された主柱で，主柱１の周囲には，受台５が，複数段，放射状に突設されており，受台５上に載置して，お皿６を主柱１の周りに立体的に配設することが出来る。【００１１】  本実施例のお皿６には前述の係合部は不要で，通常のお皿を受台５の上に置くことによって，主柱１の周りに，料理や菓子，果物等を盛ったお皿６を複数段，放射状に，立体的に配設することが出来る。その他の効果は実施例１と同様の為説明を省略する。
【実施例３】
【００１２】  図５は本考案の実施例３に係る立体食器受けセットの平面図，図６はそのＶＩ−ＶＩ矢視図である。これらの図において，１は台盤２の上に立設された主柱で，その周囲には，曲線状のアーム７が放射状に突設され，その上端には受台８が固設されている。更に，主柱１の上端にも受台９が固設されている。【００１３】  本実施例においては，受台８，９に載置して，料理や菓子，果物等を盛ったお皿１０を立体的に配設することが出来る。然も，主柱１から放射状に突設する曲線状のアーム７が，あたかも燭台のような観を呈し，珍しく，美しく見えるので，料亭等のお客に一層珍重される。その他の効果は実施例１と同様の為説明を省略する。【００１４】  以上の実施例において，台盤２の下面にベアリングを挿設する等して，台盤２を回転可能にすれば，立体的に配設されたお皿上の食物を回転させて，便利で愉快に会食を楽しむことが出来る。
【図面の簡単な説明】
【００１５】
【図１】本考案の実施例１に係る立体食器受セットの平面図
【図２】図１のＩＩ−ＩＩ矢視図
【図３】本考案の実施例２に係る立体食器受セットの平面図
【図４】図３のＩＶ−ＩＶ矢視図
【図５】本考案の実施例３に係る立体食器受セットの平面図
【図６】図５のＶＩ−ＶＩ矢視図
【符号の説明】
【００１６】    １・・・主柱
２・・・台盤
３・・・取付具
４・・・お皿
５・・・受台
６・・・お皿
７・・・アーム
８・・・受台
９・・・受台
１０・・・お皿
【図１】
0003104250.tif 000003
【図２】
0003104250.tif 000004
【図３】
0003104250.tif 000005
【図４】
0003104250.tif 000006
【図５】
0003104250.tif 000007
【図６】
0003104250.tif 000008
(57)【要約】      （修正有）【課題】単純構造の全く新しい発想による、台車のカ−ブに於けるコ−ナ−リング衝撃緩衝装置を提供する。【解決手段】スプリングの復原力を活用し、長方形のスリットの中に回転主軸をスライドさせる事により、カ−ブに於けるコ−ナリングを極めてスム−ズにする事が可能なスライド金具に結合された、ゴム又はプラスチック類とベアリング等で構成されたロ−ラ−１により、壁面との接触摩擦痕跡の発生防止と、台車１０への衝撃を吸収軽減する緩衝装置で有る。この装置は、構造が極めて単純で簡易な部品の組み合わせで構成されるので故障も少い。【選択図】図１
0003104244.tif 000002
【実用新案登録請求の範囲】
【請求項１】
台車の先端部両角に、前方及び、左右からの衝撃を吸収緩衝するスライド金具に、結合保持されたロ−ラ−を取り付けた装置。
【請求項２】
請求項１のスライド式金具を台車に取り付けるアタッチメント金具。
【考案の詳細な説明】
【技術分野】
【０００１】
本考案は手押し台車のコーナーリングの際に壁面に衝突する恐れの生ずる衝撃を緩衝し、壁面への接触痕跡の防止と、積載物に対する衝撃の軽減を計るを目的とする物で有る。
【背景技術】
【０００２】
特許第１５６６８７号(昭和１８年公告第１９号)は、車台の外周円縁を弾性帯体を定着なしたる運搬車、とあり。
【０００３】
昭６１−１５２５７１は走行先端部外周部側面に回転ロールを筒形スプリングダンパーで保持する様に取り付けた物である。
【０００４】
昭６１−７１５５１も同じように自動車バンパーの角部に回転ローラーを備えた自動車であり、平２−１７４７６は、手押し運搬車の先端部両角に回転自在の円盤を水平に取り付けた物であり、同じく、平３−１６８７６は前記と同様に台車の先端両角に車輪を取り付けて有る。
【０００５】
上記対策技術の特許第１５６６８７号では、台車にかかる衝撃は帯体の弾性分だけ軽減されるか、壁面の接触痕跡は殆ど防止不能である。
【０００６】
昭６１−１５２５７１は回転ローラーを利用しているが、筒形スプリングダンパーで回転ローラーを保持する等、機構が複雑で故障もしやすく、しかも回転ローラーに対して、側面からの衝撃が加わった場合は軽減されず、製品コストも高価となる。
【０００７】
平２−１７４７６６及び、平３−１６８７６の機構は簡単であるが、両案いずれもローラーの回転軸は台車に固定されている為 、ローラーに当る衝撃は殆ど軽減せず、台車にストレートに伝達される。壁面摩擦痕跡はローラー回転接触の為、軽減されるか、台車に対する衝撃は軽減されず、積載物に衝撃か伝搬されるので、上記の如き改善台車はほとんど普及する事が少なく、むしろ衝撃を受け止める壁面に対する防御策として、木製や合成樹脂等の巾本状の長尺物を壁面に取り付け、台車か接触しても壁面に痕跡が残置しない様にする対策か、一般的に普及している。
【考案の開示】
【考案が解決しようとする課題】
【０００８】
解決しようとする問題点は、手押し台車のコーナーリングに際してスムーズに曲がれない時、壁面に接触し痕跡を生ぜしめ又、台車積載物に衝撃を与え、時には荷崩れや落下を引き起こす場合がある。
【課題を解決するための手段】
【０００９】
本考案はローラーの回転軸と、この回転軸機構と結合するスライド回転軸の2点式による簡単な原理装置で車のカーブに於て、コーナーリングをスムーズにする為の装置で有る。
【００１０】
本考案は、手押し台車のコーナーリングの際に生ずる前面、側面、いずれの方向からの衝撃をも、極めてスムーズに緩衝する装置で有る。
【００１１】
本考案は、手押し台車のカーブに於て、コーナーリングの際に壁面に対する接触痕跡を生じない装置である。
【００１２】
本考案の装置は構造が単純で故障が少なく、簡単に取り付け装着が可能で有る。
【考案を実施するための最良の形態】
【００１３】
手押し台車の先端あの左右にある空穴を利用し装着する様に、アタッテメント金具を取り付け、此れにスプリングの復元力を活用したショックグンパー機能を有する、長方形のスリットの中を回転軸がスライドしつつ回転する事により、カーブに於けるコーナーリングを極めてスムーズに成す事が可能で、スライド金具に結合された、ゴム又はプラスチック類とベアリング等で構成されるローラーによる、壁面との接触摩擦痕跡の発生防止と、台車への衝撃を吸収軽減する緩衝装置で有る。
【００１４】
ゴムローラーで壁面接触痕跡を防止し、スライド回転機構により、台車に対する衝撃を軽減せしめ、更に左右の首振吸収用スプリングにてローラーの左右衝撃を吸収し、ローラーの元位置復帰を確実になす。
【００１５】
アタッチメント金具に設けた、スライド回転軸穴の位置を、変更する事により台車角よりのローラー突出量を任意調整可能である。
【実施例】
【００１６】
本考案のコーナー衝撃緩衝装置を、既存の手押し台車の先端部左右の空穴にアタッチメント金具で確実に取付ける。
【００１７】
図１は、本考案のコーナー衝撃緩衝装置を示した説明図で有る。
【産業上の利用可能性】
【００１８】
此の様な手押し台車のコーナー衝撃緩衝装置は、コーナーに於て極めて軽くスムーズに方向転換が可能で、病院等の医療機関やオフィス、ホテル等において利用範囲が広く、又、工場や市場等の現場にも活用可能である。
【００１９】
大型台車用のコーナー衝撃緩衝装置はゴムローラーを大きくし、スプリングを強くする事により、ダンパーの復元力を増加させて装置全体を強化する事により可能で有るが、必要に応じ、スライド金具のスリット回転軸スライグーの付加や、配列を複式にし、個々のローラへの加重を出来得る限り軽減し事故や、故障を防止することか必要である。
【図面の簡単な説明】
【００２０】
【図１】手押し台車、コーナー衝撃緩衝装置を示した説明図で有る。  (実施例１)
【図２】手押し台車、コーナー衞撃緩衞装置の断面図で有る。        (実施例１)
【図３】手押し台車、コーナー衡撃緩衝装置装着の外観図で有る。   (実施例１)
【符号の説明】
【００２１】
１  ローラー
２  ローラー取付金具
３  スライド回転軸
４  スライド、ロ−ラ−結合金具
５  スライド回転軸スライダー
６  首振スプリング取付盤兼、アタッチメント金具
７  スライドダンパースブリング
８  首振回転復元スプリング
９  アタッチメント金具
１０  台車
【図１】
0003104244.tif 000003
【図２】
0003104244.tif 000004
【図３】
0003104244.tif 000005
(57)【要約】【課題】安全に簡単に、ポケットから物が出し入れできるようにしたものである。【解決手段】ポケットが手袋につけば、手と一体化し対応が自在になる。【選択図】  図２
0003104278.tif 000002
【実用新案登録請求の範囲】
【請求項１】
任意な素材をポケットの形に切り、開口部を残して周囲を手袋の甲に留めた、ポケットつき手袋。
【考案の詳細な説明】
【考案の詳細な説明】
この考案は、ポケットを手袋に付けたものである。
従来手袋は寒さから手を守るための物である。着用すると指の感触や動きが鈍って、物が掴みづらく不便であった。特に小さい物は見失い、紛失することもあって不安だった。したがって、防寒の外に利用方法を要求した声があったのに、応えることができなかった。    本考案は簡単な方法でこれを解決したものである。
以下それを説明すると、
（イ）  任意な素材をポケット（２）の形に切り。
（ロ）  それを手袋（１）の甲に重ねる。
（ハ）  次にポケット（２）の開口部（４）を残して、周囲を手袋（１）に留める。
（二）  ポケット（２）の開口部（４）に開閉留め具（５）をつける。
（ホ）  ポケット（２）開口部（４）はストレート（６）又はカバー（３）をつける。
（ヘ）  図１は、ストレート（６）のポケット（２）を表わす。
（ト）  図２は、ストレート（６）のポケット（２）が付いた手袋（１）を表わす。
（チ）  図３は、カバー（３）付きポケット（２）を表わす。
（リ）  図４は、カバー（３）付きポケット（２）の手袋（１）を表わす。
（ヌ）  図５は、ストレート（６）のポケット（２）の断面を表わす。
（ル）  図６は、カバー（３）付きポケット（２）の断面を表わす。
こうすれば、手と一体になったポケット（２）は、自在な対応ができるようになり、物の出し入れが目前でできて、大変便利である。
本考案はこのように簡単な方法で、問題を解決したものである。
【図面の簡単な説明】
【図１】  本考案ストレートのポケット  平面図
【図２】  ストレートのポケット付手袋  平面図
【図３】  カバー付ポケット  平面図
【図４】  カバー付ポケットの手袋  平面図
【図５】  ストレートのポケット  断面図
【図６】  カバー付ポケット  断面図
【符号の説明】
（１）    手袋
（２）    ポケット
（３）    カバー
（４）    ポケットの開口部
（５）    止め具
（６）    ストレート
【図１】
0003104278.tif 000003
【図２】
0003104278.tif 000004
【図３】
0003104278.tif 000005
【図４】
0003104278.tif 000006
【図５】
0003104278.tif 000007
【図６】
0003104278.tif 000008
(57)【要約】【課題】  帽子を異なる形状、異なる色とすることができ、更に新鮮感を具有させるため、複数の層となるカバーを具有する帽子の構造構造を提供する。【解決手段】  本考案は帽子１０へ複数の層となるカバー１１を設け、該カバーは異なる形状、異なる色を設けることができ、帽子上でめくって折り返すことができることを特徴とし、また、前記カバーは帽子上で前後に折ることができることを特徴とし、前記カバーは周辺縁を折り曲げることができることを特徴とする帽子の構造であり、帽子は更に変化性及び多様性を具有し、本考案を使用することで効果と利益を充分発揮することが出来る。【選択図】  図２
0003104275.tif 000002
【実用新案登録請求の範囲】
【請求項１】
帽子へ複数の層となるカバーを設け、該カバーは異なる形状、異なる色を設けることができ、帽子上でめくって折り返すことができることを特徴とする帽子の構造。
【請求項２】
前記カバーは帽子上で前後に折ることができることを特徴とする請求項１記載の帽子の構造。
【請求項３】
前記カバーは周辺縁を折り曲げることができることを特徴とする請求項１記載の帽子の構造。
【考案の詳細な説明】
【技術分野】
【０００１】
本考案は、特に複数の層となるカバーを具有する帽子の構造に係し、使用する上で必要な異なる形状、異なる色にめくって折り返し変化させることができ、新鮮感を具有する帽子の構造に関わる。
【背景技術】
【０００２】
公知の帽子は種類も多く、デザインにおいて単調的であるため使用者は異なる形状、色の帽子を必要とするとき、必要とする分だけの帽子を用意しなくてはならず、不便であり、且つお金もかかる。
【特許文献１】特開２００３−３４２８２１号公報
【考案の開示】
【考案が解決しようとする課題】
【０００３】
上述公知の構造の欠点を解決するため、主に複数の層となるカバーを具有する帽子の構を提供することを課題とする。
【課題を解決するための手段】
【０００４】
上記課題を解決するため、請求項１の考案は、主に帽子へ複数の層となるカバーを設け、該カバーは異なる形状、異なる色に設けることができ、帽子へめくって折り返すことにより変化させることができることを特徴とする。
請求項２の考案は、前記カバーは帽子の上で広げたりめくったりすることができることを特徴とする。
請求項３の考案は、前記帽子は周辺を折り曲げることもできることを特徴とする。
【０００５】
すなわち、上記各考案は帽子へ複数の層となるカバーを設け、該カバーは必要な異なる形状、異なる色に変化させることができるものである。
【考案の効果】
【０００６】
本考案によれば、必要な異なる型、色に合わせることができる帽子の目的を達成することが出来るという効果を有する。
【考案を実施するための最良の形態】
【０００７】
本考案の実施例を図に沿って説明する。図１は本考案の立体図、図２、３、４は本考案のカバーをめくって折り返す立体図である。
図に示すように、本考案は帽子１０へ複数の層となるカバー１１、１２、１３を設ける構造であり、該カバー１１、１２、１３は異なる形状、異なる色又は模様に設けることができ、帽子上でめくって折り返すことができる。
図１、又は図２の第一層カバー１１は、めくって折り返すことができる構造であり、図３の第二層カバー１２もまためくって折り返すことができ、図４もまた第三層カバー１３をめくって折り返すことができ、帽子は異なる変化を具有し、その形状、色又は模様は、使用する上で必要に応じて変化させることができ、帽子は更に変化性および多様性を具有し、随時変化させてかぶることができ、使用上の効果を高めるものである。
図５に示すように、本考案の別の実施例であるカバー１４、１５、１６、１７を帽子１８の周囲へ設け、カバー１４、１５、１６、１７の縁を折り曲げることができる。
図６は折り曲げる指示図であり、図７は折り曲げた後の立体図であり、該カバー１４、１５、１６、１７の２辺は異なる色又は模様を具有し、折り曲げることにより異なる風貌を呈す。
【産業上の利用可能性】
【０００８】
上述により本考案は、公知の帽子の単一性を突破し、帽子に設ける複数の層となるカバーにより帽子の形状、色を臨機応変に変化させることができ、変化性、多様性を具有し、異なる風貌を呈する効果となる。
【図面の簡単な説明】
【０００９】
【図１】本考案の立体図である。
【図２】本考案の第一層カバーがめくり上げて折り返す立体図である。
【図３】本考案の第二層カバーをめくり上げる指示図である。
【図４】本考案の第三層カバーをめくり上げて折り返す立体図である。
【図５】本考案のもう一つの一周型のカバーの帽子の立体図である。
【図６】本考案のカバー縁を折り曲げる指示図である。
【図７】本考案のカバー縁を折り曲げた立体図である。
【符号の説明】
【００１０】
１０  帽子
１１  カバー
１２  カバー
１３  カバー
１４  カバー
１５  カバー
１６  カバー
１７  カバー
１８  帽子
【図１】
0003104275.tif 000003
【図２】
0003104275.tif 000004
【図３】
0003104275.tif 000005
【図４】
0003104275.tif 000006
【図５】
0003104275.tif 000007
【図６】
0003104275.tif 000008
【図７】
0003104275.tif 000009
(57)【要約】【課題】靴を手に取ることなく、展示されている靴のサイズ等の特性を消費者が容易に認識することができる靴用情報表示片の提供を課題とする。【解決手段】靴１の後部の上縁部には、情報表示片本体１０がピン２１によって装着されている。略長方形の形状を有する情報表示片本体１０の対称の軸上には、ピン２１の挿通孔１１が形成されている。この挿通孔１１は、情報表示片本体１０の重心よりも上の位置に設けられている。靴１の後部の上縁部上に位置する情報表示片１０の上部部分には、靴１のサイズ等の特性を表す情報の表示１２がなされている。【選択図】  図３
0003104280.tif 000002
【実用新案登録請求の範囲】
【請求項１】
靴の後部の上縁部に、該上縁部上にその上部部分が位置するようにピンによって装着さ
れる略長方形の形状を有する情報表示片であって、前記ピン用の挿通孔が前記情報表示片
の対称の軸上で且つ重心ではない位置に穿設され、前記挿通孔を基準として前記重心とは
反対側に位置する前記上縁部上の前記上部部分に前記靴の特性を表す情報の表示がなされ
ていることを特徴とする靴用情報表示片。
【考案の詳細な説明】
【技術分野】
【０００１】
本考案は、靴のサイズ等の特性を表示する靴用情報表示片に関するものである。
【背景技術】
【０００２】
現在、量販店の靴売場においては、通常、図５に示すような棚２上に商品である複数の
靴１が展示され販売されている。
【０００３】
靴１の購入を希望する消費者Ａは、展示されている複数の靴１の中から好みに合った靴
１を選び、さらにその選んだ靴１を手に取って、靴１の内側の底等に表示されている靴１
のサイズ等の特性を確認した後に、その靴１を購入する。
【考案の開示】
【考案が解決しようとする課題】
【０００４】
このような従来の靴１の売場においては、消費者Ａは、靴１を手に取らなければ、靴１
のサイズ等の特性を確認することができないという問題点があった。すなわち、消費者Ａ
は、自らが希望する特性を有する靴１を探す場合には、通常は数回、靴１を手に取ってそ
の靴１の特性を確認した後にその靴１を元の位置に戻し、さらに他の靴１を手に取るとい
う作業を、希望する靴１が見つかるまで繰り返さなければならないという問題点があった
。
【課題を解決するための手段】
【０００５】
以上の問題を解決するために、本考案は、靴の後部の上縁部に、該上縁部上にその上部
部分が位置するようにピンによって装着される略長方形の形状を有する情報表示片であっ
て、前記ピン用の挿通孔が前記情報表示片の対称の軸上で且つ重心ではない位置に穿設さ
れ、前記挿通孔を基準として前記重心とは反対側に位置する前記上縁部上の前記上部部分
に前記靴の特性を表す情報の表示がなされていることを特徴とするものである。
【考案の効果】
【０００６】
本考案によれば、消費者は、靴を手に取ることなく、展示されている靴のサイズ等の特
性を認識することができる。
【考案を実施するための最良の形態】
【０００７】
以下、図面を用いて本考案の実施例を説明する。
【実施例１】
【０００８】
図１は、本考案の実施例１の構成を示した構成図である。図１において、情報表示片本
体１０は、紙やプラスチックフィルム等によって構成されるものであり、略長方形の形状
に形成されている。
【０００９】
この情報表示片本体１０の対称の軸１０ａ上には、この情報表示片本体１０を靴に装着
するときに用いるピンの挿通孔１１が穿設されている。この挿通孔１１は、情報表示片本
体１０の重心Ｇとは異なる位置に設けられている。
【００１０】
１２は、この情報表示片本体１０が装着される靴のサイズ等の特性を表す情報の表示で
ある。この表示１２は、挿通孔１１を基準として重心Ｇとは反対側に位置する情報表示片
本体１０の上部部分になされている。
【００１１】
ここで、表示１２によって表される情報は、靴のサイズに限られるものではなく、この
ようなサイズの他に靴の材質などの情報であってもよい。
【００１２】
以上のように構成された本実施例１を靴に装着する場合には、図２に示したように、従
来から用いられているタッグガン２０によりピンが挿通孔１１を通るような状態にして、
そのピンで靴１の後部の上縁部に装着する。
【００１３】
このようにして靴１の後部に装着された本実施例１の状態を図３に示す。図３において
、２１は装着用のピンである。
【００１４】
ここで、靴１に本実施例１を装着する場合には、図３で示したように、表示１２がなさ
れた情報表示片本体１０の上部部分が、靴１の後部の上縁部上に位置するように、情報表
示片本体１０をピン２１によって靴１の後部の上縁部に装着する。
【００１５】
以上のようにして靴１に装着された本実施例１においては、ピン２１の挿通する挿通孔
１１が対称の軸上で且つ重心の上に位置しているために、ピン２１を中心として表示片本
体１０が回動し表示１２がピン２１より下に位置してしまうようなことはない。
【００１６】
図３に示したように本実施例１が装着された靴１を、図４に示すように、従来と同様に
棚２上に展示した場合、消費者Ａは、展示してある状態で、靴１のサイズ等の特性を、靴
１を手に取ることなく、情報表示片本体１０の表示を視ることにより容易に認識すること
ができる。
【産業上の利用可能性】
【００１７】
本考案によれば、サイズのみが異なる同一種類の靴を多数展示するような場合、消費者
は、自らが希望する特性を有する靴を、手に取ることなく容易に探すことができる。
【図面の簡単な説明】
【００１８】
【図１】本考案の実施例１の構成を示した構成図である。
【図２】本考案の実施例１の使用方法の説明図である。
【図３】本考案の実施例１の使用方法の説明図である。
【図４】本考案の実施例１の使用方法の説明図である。
【図５】従来の靴の展示方法の説明図である。
【符号の説明】
【００１９】
１  靴
２  棚
１０  情報表示片本体
１０ａ  対称の軸
１１  挿通孔
１２  表示
２０  タッグガン
２１  ピン
Ａ  消費者
Ｇ  重心
【図１】
0003104280.tif 000003
【図２】
0003104280.tif 000004
【図３】
0003104280.tif 000005
【図４】
0003104280.tif 000006
【図５】
0003104280.tif 000007